(57)【要約】【課題】サーバは、複数の複合機（ＭＦＰ）のそれぞれの環境温度を把握し、複合機の環境温度を考慮して、最短時間で起動する複合機を選択して起動させ、また起動に要する電力を低減する。【解決手段】クライアントＰＣはサーバに対し、印刷要求を指令し、印刷ジョブＪ１を転送する。サーバは起動時間を最小とするために、管理テーブルを参照して、環境温度が最も高い起動順位１のＭＦＰ１を起動し、ウオームアップを開始する。ウオームアップ開始からｔ１時間後にウオームアップが完了すると、ＭＦＰ１はその旨をサーバに通知し、印刷ジョブＪ１を実行する。次に、印刷ジョブＪ２に基づきＭＦＰの台数を増加するため、管理テーブルを参照して、環境温度がＭＦＰ１に次いで高い起動順位２のＭＦＰ２を起動させ、ウオームアップを完了後、印刷ジョブＪ２を実行する。【選択図】図４
2007180906.tif 000002
【特許請求の範囲】
【請求項１】
管理装置と該管理装置に接続された複数の画像形成装置からなる画像形成システムにおいて、前記画像形成装置は、それぞれの環境温度情報を取得する環境温度取得手段と、取得した前記環境温度情報を前記管理装置に送信する環境温度送信手段を備え、前記管理装置は、送信された前記環境温度情報を受信する環境温度受信手段と、前記環境温度情報に基づき前記複数の画像形成装置の起動順序を決定する起動制御手段を備えたことを特徴とする画像形成システム。
【請求項２】
請求項１に記載された画像形成システムにおいて、前記起動制御手段は、前記画像形成装置の定着装置の温度調整制御モードに応じて画像形成装置の起動順序を変更することを特徴とする画像形成システム。
【請求項３】
請求項１または２に記載された画像形成システムにおいて、前記起動制御手段は、起動した画像形成装置の画像形成動作完了後、他の画像形成装置を起動することを特徴とする画像形成システム。
【請求項４】
管理装置と該管理装置に接続された複数の画像形成装置からなる画像形成システムの起動制御方法において、前記複数の画像形成装置はそれぞれの環境温度情報を取得し、取得した前記環境温度情報を前記管理装置に送信し、前記管理装置は前記環境温度情報を受信し、該環境温度情報に基づき前記複数の画像形成装置の起動順序を決定することを特徴とする画像形成システムの起動制御方法。
【発明の詳細な説明】
【技術分野】
【０００１】
本発明は、画像形成システム及びその起動制御方法に関し、さらに詳しくは、管理装置とプリンタ、複写機、ＭＦＰ等からなる複数の画像形成装置からなる画像形成システムにおいて、管理装置はそれぞれの画像形成装置の環境温度を検出し、検出した各画像形成装置の環境温度に基づき、画像形成装置の起動順序を決定して起動する画像形成システム及びその起動制御方法に関する。
【背景技術】
【０００２】
近年におけるＯＡ化の進展により、事業所等には多くのプリンタ、複写機、ファクシミリ装置、複合機等の画像形成装置が設置され、多くはネットワークを介して複数のクライアントＰＣとともに管理装置に接続されている。このような画像形成システムでは、クライアントＰＣのユーザは、クライアントＰＣを操作することにより、ネットワークを介して離れた場所に設置されている画像形成装置を効率的に稼働させ、所望の画像形成を行うことができる。
【０００３】
画像形成システムに接続される電子写真方式等の画像形成装置は、静電潜像を現像したトナー画像を定着するために、加熱ローラを使用した定着装置を用いる。そのため、画像形成装置の起動時には定着装置へ通電し、定着温度を印刷可能状態に上昇させる。画像形成装置が設置される場所の環境は様々で、動作する環境は絶えず変化するから、画像形成装置が設置されている場所の環境によって、電源がオフされた状態から印刷可能状態となるまでの起動時間、起動時に必要とする電力は同じ機種の画像形成装置であっても異なるのが一般である。
【０００４】
画像形成装置の起動管理を行なう画像形成システムの一例として、特許文献１に開示されたネットワーク画像形成システムが知られている。この、ネットワーク画像形成システムは、複数のホスト装置にネットワークを介して画像形成管理装置が接続され、画像形成管理装置に複数の画像形成装置が接続され、ホスト装置からの画像形成指令を受けた画像形成管理装置が複数の画像形成装置から選択した画像形成装置によって画像形成が行われるネットワーク画像形成システムであって、複数の画像形成装置に画像形成動作の優先順位を設定する優先順位設定手段と、複数のホスト装置の画像形成指令状態を監視する指令監視手段と、指令監視手段が監視するホスト装置の画像形成指令状態と、優先順位設定手段が設定した優先順位とに基づき、電源の投入・遮断を含む画像形成装置の動作の制御を行う制御手段とが画像形成管理装置に設けられていることを特徴とし、稼働しているＰＣの数に基づいて起動する画像形成管理装置の数を増減し、その際、高機能、高速の画像形成管理装置を優先して起動するようにしたものである。
【特許文献１】特開２０００−３５３０７０号公報
【発明の開示】
【発明が解決しようとする課題】
【０００５】
しかしながら、従来の画像形成システムは、稼働しているＰＣの数に基づいて起動する画像形成装置の数を増減するので、画像形成装置の起動時の消費電力（起動電力）や起動に要する時間（起動時間）は考慮されておらず、起動時間を可能な限り短縮し、また起動電力を可能な限り少なくする要求に応えられるものではなかった。
【０００６】
本発明は、このような状況のもとになされたもので、管理装置により複数の画像形成装置が設置されたそれぞれの場所の環境温度を検出し、検出した環境温度を考慮して複数の画像形成装置の起動順序を管理し、短時間で起動する画像形成装置を選択して起動させ、また起動に要する電力を低減することを目的とする。
【課題を解決するための手段】
【０００７】
前記課題を達成するための第１の技術手段は、管理装置と該管理装置に接続された複数の画像形成装置からなる画像形成システムにおいて、前記画像形成装置は、それぞれの環境温度情報を取得する環境温度取得手段と、取得した前記環境温度情報を前記管理装置に送信する環境温度送信手段を備え、前記管理装置は、送信された前記環境温度情報を受信する環境温度受信手段と、前記環境温度情報に基づき前記複数の画像形成装置の起動順序を決定する起動制御手段を備えたことを特徴とする。
【０００８】
第２の技術手段は、第１の技術手段の画像形成システムにおいて、前記起動制御手段は、前記画像形成装置の定着装置の温度調整制御モードに応じて画像形成装置の起動順序を変更することを特徴とする。
【０００９】
第３の技術手段は、第１または第２の技術手段の画像形成システムにおいて、前記起動制御手段は、起動した画像形成装置の画像形成動作完了後、他の画像形成装置を起動することを特徴とする。
【００１０】
第４の技術手段は、管理装置と該管理装置に接続された複数の画像形成装置からなる画像形成システムの起動制御方法において、前記複数の画像形成装置はそれぞれの環境温度情報を取得し、取得した前記環境温度情報を前記管理装置に送信し、前記管理装置は前記環境温度情報を受信し、該環境温度情報に基づき前記複数の画像形成装置の起動順序を決定することを特徴とする。
【発明の効果】
【００１１】
本発明は、管理装置と該管理装置に接続された複数の画像形成装置からなる画像形成システムにおいて、複数の画像形成装置はそれぞれが設置された場所、つまり画像形成装置が動作する際の温度情報である環境温度情報を取得し、取得した環境温度情報を管理装置に送信し、管理装置は環境温度情報を受信し、受信した環境温度情報に基づき複数の画像形成装置の起動順序を決定して起動するので、環境温度を考慮して、最も早く起動する画像形成装置を起動することができる。その結果、画像形成システムの起動してから印刷ジョブを完了するまでの時間を最短時間とすることができ、起動に要する電力も少なくすることができる。
【００１２】
また、管理装置の起動制御手段は、画像形成装置の定着装置の温度調整制御モードに応じて画像形成装置の起動順序を変更するので、節電のため待機モードに入っている画像形成装置を含む場合は、画像形成装置の温度調整制御モードを考慮して画像形成装置を起動し、最短時間で画像形成システムを立ち上げ、画像形成可能とすることができる。
【００１３】
また、連続して複数の画像形成装置を起動する場合、管理装置の起動制御手段は、起動した画像形成装置の画像形成動作が完了した後、他の画像形成装置を起動するので、画像形成装置の画像形成動作と他の画像形成装置の起動動作とが同時に行なわれることがなく、複数台の画像形成装置の消費電力の合計値が低く抑えられ、画像形成システムの電源容量を低減することができる。
【発明を実施するための最良の形態】
【００１４】
以下、本発明の実施形態について図１〜９を参照して説明する。
（実施形態１）
図１は、本発明の実施形態１の画像形成システムを示す概略ブロック図である。
本発明の画像形成システムは、電源管理サーバのようなサーバ１に複数のクライアントＰＣ２１，２２，…及び複写機、プリンタ、ファクシミリ装置等の機能を有する複数の複合機（ＭＦＰ）３１，３２，…がＬＡＮ等のネットワーク４を介して接続されている。ユーザは各クライアントＰＣ２１，２２，…から複合機３１，３２，…を共同して利用することが可能である。なお、ここでは、画像形成装置が複合機である場合を示したが、複合機に限らず複写機、プリンタ、ファクシミリ装置のような単能機や複合機から任意のものを任意数選択して接続することができる。
【００１５】
図１において、画像形成装置である複合機（ＭＦＰ）３１，３２，…が設置される場所の環境はそれぞれ異なり、高温度の場所、低温度の場所、温度変化の激しい場所等が考えられ、ユーザにとって個々の複合機について、どの複合機を起動して印刷要求をすれば最短時間で使用可能状態にすることができ、印刷を完了することができるか、あるいは全体として起動電力を低減することができるのかを決定することは困難である。
【００１６】
そのため、各複合機３１，３２，…は、各複合機が設置された場所、すなわち複合機が動作する環境の温度を検出する環境温度検出手段と、検出した環境温度情報をサーバ１に送信する環境温度送信手段を備えている。環境温度検出手段としては、例えばサーミスタが用いられ、複合機の装置本体の内外を問わず、メイン制御基板や手差しトレイの近傍に設けられ、また設置される室の適宜の位置に取り付けられる。また、サーバ１は、各複合機３１，３２，…から送信された温度環境情報を受信する環境温度受信手段と、環境温度情報に基づき複数の複合機の起動順序を決定して起動する起動制御手段を備えている。
【００１７】
図２は、複合機の主要部を示すブロック図である。
実施形態１の画像形成システムで用いられる複合機は、環境温度検出手段３ａ、情報通信手段３ｂ、定着装置備えた印字部３ｃ、印字部の起動と停止を制御する印字部制御手段３ｄ、制御部電源３ｅを備えている。ここで、情報通信手段３ｂは環境温度を送信するだけでなく、サーバ１からの起動信号や印刷ジョブを送受信する機能を備えている。
【００１８】
印字部３ｃは複写機、プリンタ、ファクシミリ装置の記録装置として用紙に画像形成を行い、印字部制御手段３ｄはサーバ１から送信された印字部３ｃの起動信号を通信手段３ｂを介して受信すると定着装置に電力供給するように制御し、印字部３ｃを動作状態に起動する。制御部電源３ｅは、環境温度検出手段３ａ、情報通信手段３ｂ、印字部制御手段３ｄに電力を供給する。
【００１９】
複合機３がシャットダウンされた状態では、印字部３ｃが起動されてなく、定着装置にも電力が供給されていないので消費電力は非常に小さい。しかし、制御部電源３ｅ、環境温度検出手段３ａ、情報通信手段３ｂ、印字部制御手段３ｄは稼動しており、環境温度をサーバ１に送信したり、サーバ１からの起動信号を受信して印字部３ｃの起動を行ったりすることができる。
【００２０】
図３は、実施形態１の画像形成システムの起動制御を示すタイムチャートである。
実施形態１の画像形成システムには、管理装置としてのサーバにクライアントＰＣと画像形成装置として４台の複合機３１，３２，３３，３４（以下、ＭＦＰ１，ＭＦＰ２，ＭＦＰ３，ＭＦＰ４という）がネットワークを介して接続されている例である。
【００２１】
実施形態１の画像形成システムでは、ＭＦＰ１〜ＭＦＰ４は当初電源がオフされている（シャットダウン）が、それぞれの設置場所の環境温度情報は、ＭＦＰ１〜ＭＦＰ４に備えられた環境温度検出手段によって検出され、環境温度送信手段によってサーバに送信されている。サーバはＭＦＰ１〜ＭＦＰ４の環境温度送信手段によって送られてくる温度環境情報を環境温度受信手段で受信し、受信した温度環境情報に基づきＭＦＰ１〜ＭＦＰ４の環境温度を把握している。
【００２２】
図８は、実施形態１〜３の画像形成システムにおいて、サーバが管理する管理テーブル及び管理テーブルの内容が変更される様子を示す図である。
サーバは、ＭＦＰ１〜ＭＦＰ４の起動順序を制御するための管理テーブルを備えており、把握したＭＦＰ１〜ＭＦＰ４の環境温度に基づき、ＭＦＰ１〜ＭＦＰ４が設置された場所の動作環境を把握し、管理テーブルを参照してＭＦＰ１〜ＭＦＰ４の起動順序を決定し、起動させる。管理テーブルは、ＭＦＰ１〜ＭＦＰ４毎に、環境温度、ウオームアップ状況、動作モード、補正後環境温度、起動順位等の欄を有し、ＭＦＰ１〜ＭＦＰ４の状態に変化が生じるとその都度書き換えられる。
【００２３】
当初電源がオフ（シャットダウン）されているＭＦＰ１〜ＭＦＰ４は、次のようにして起動される。ここで、ＭＦＰ１〜ＭＦＰ４の環境温度は、図８（Ａ）に記載されているように、ＭＦＰ１は３５℃、ＭＦＰ２は２５℃、ＭＦＰ３は１５℃、ＭＦＰ４は１０℃であるものとする。
まず、クライアントＰＣはサーバに対し印刷要求を指令し、印刷ジョブＪ１を転送する。次に、サーバは図８（Ａ）の管理テーブルを参照して、起動順位１の環境温度が最も高い（３５℃）ＭＦＰ１を起動する指令を行い、定着装置のウオームアップを開始させる。ウオームアップ開始からｔ１時間後にウオームアップが完了すると、ＭＦＰ１はその旨をサーバに通知し、その後、ＭＦＰ１に印刷ジョブＪ１を転送して、印刷が実行される。ＭＦＰ１の起動中、管理テーブルは図８（Ｂ）のように書き換えられる。
【００２４】
実施形態１の画像形成システムでは、温度環境が最も高い起動順位１のＭＦＰ１を起動するので、定着装置の温度を印刷が可能な温度（１４０〜２００℃）に上昇させるのに要する時間を最短時間とすることができ、また、そのときに定着装置の定着ローラを加熱・昇温するのに要する電力を最小とすることができる。
【００２５】
（実施形態２）
図４は、実施形態２の画像形成システムの起動制御を示すタイムチャートである。
実施形態２の画像形成システムは、実施形態１の画像形成システムと同様に、サーバにクライアントＰＣと４台のＭＦＰ１〜ＭＦＰ４がネットワークを介して接続されており、ＭＦＰ１のウオームアップ期間中に印刷ジョブＪ２が発生した場合の例である。
【００２６】
実施形態２の画像形成システムでは、各ＭＦＰは次のようにして起動され、印刷が実行される。
クライアントＰＣはサーバに対し、印刷要求を指令し、印刷ジョブＪ１を転送する。次に、サーバは印刷ジョブＪ１に基づき最短時間で立ち上がるＭＦＰを起動するが、実施形態１の場合と同様に、図８（Ａ）に示す管理テーブルを参照して、温度環境が最も高い（３５℃）起動順位１のＭＦＰ１を起動し、定着装置に通電しウオームアップを開始する。ＭＦＰ１の起動中、管理テーブルは図８（Ｂ）のように書き換えられる。ウオームアップ開始からｔ１時間後にウオームアップが完了すると、ＭＦＰ１はその旨をサーバに通知し、サーバから転送された印刷ジョブＪ１を実行する。
【００２７】
また、ＭＦＰ１のウオームアップ期間中に受信した印刷ジョブの数に応じて起動するＭＦＰの台数を増加するため、ＭＦＰ１のウオームアップが完了したことがサーバに通知されると、サーバは他のＭＦＰを起動させる。この場合、サーバは立ち上げるＭＦＰの起動時間を最短とするために、図８（Ｂ）に示す管理テーブルを参照して、環境温度がＭＦＰ１に次いで高い（２５℃）起動順位２のＭＦＰ２を起動させる。ＭＦＰ２の起動中、管理テーブルは図８（Ｃ）のように書き換えられる。ＭＦＰ２がウオームアップ開始してからｔ２時間後にウオームアップを完了すると、その旨をサーバに通知し、サーバから転送された印刷ジョブＪ２を実行する。この場合、ウオームアップ期間の時間ｔ１，ｔ２は、ｔ１＜ｔ２である。
【００２８】
実施形態２の画像形成システムでは、複数のＭＦＰを起動し、最も短時間で起動することができる起動順位１のＭＦＰ１から立ち上げ、次に起動順位２のＭＦＰ２を立ち上げて複数の印刷ジョブを実行するので、システム全体においてＭＦＰの起動に要する時間を最短とし、所要電力を平均化した上で最小とすることができる。
【００２９】
（実施形態３）
図５は、実施形態３の画像形成システムの起動制御を示すタイムチャートである。
実施形態３の画像形成システムは、実施形態１の画像形成システムと同様に、サーバにクライアントＰＣと４台のＭＦＰ１〜ＭＦＰ４がネットワークを介して接続されており、ＭＦＰ１のウオームアップ期間中に印刷ジョブＪ２が発生し、ＭＦＰ２のウオームアップ期間中にさらに印刷ジョブＪ３が発生した場合の例である。
【００３０】
実施形態３の画像形成システムでは、ＭＦＰ１，ＭＦＰ２が起動され、印刷ジョブＪ１，Ｊ２が実行されるまでの制御は実施形態２の画像形成システムにおける制御と同様であり、ＭＦＰ２の起動中は、図８（Ｃ）に示す管理テーブルに書き換えられ、起動順位２，３，４のＭＦＰ２，ＭＦＰ３，ＭＦＰ４がそれぞれ起動順位１，２，３に繰り上がる。そこで、サーバはＭＦＰ２からＭＦＰ２のウオームアップが完了したことが通知されると、ＭＦＰ２のウオームアップ期間中に印刷ジョブＪ３が発生したことに基づき、動作モードがレディ中あるいは起動中でない、繰り上がり後の起動順位２のＭＦＰ３を起動する指令が行なわれ、ウオームアップ開始からウオームアップ期間ｔ３後にウオームアップが完了する。ここで、各ウオームアップ期間は、ｔ１＜ｔ２＜ｔ３の関係がある。
【００３１】
（実施形態４）
図６は、実施形態４の画像形成システムの起動制御を示すタイムチャートである。
実施形態４の画像形成システムには、サーバにクライアントＰＣと４台のＭＦＰ１〜ＭＦＰ４がネットワークを介して接続され、ＭＦＰ１，ＭＦＰ３，ＭＦＰ４はシャットダウン状態であるが、ＭＦＰ２は動作モードが待機モードにある例である。ここで、待機モードとは、省エネ効果を目的としたもので、通常印刷実行時の温度より低い温度で温度調整し、起動指令により通常印刷実行時の温度まで温度上昇させるモードを意味し、シャットダウンとは、ＭＦＰに通電されていない状態である。なお、図６では、ＭＦＰ３，ＭＦＰ４の図示は省略されている。
【００３２】
画像形成装置（ＭＦＰ）が設置されている場所の環境温度が低くても、画像形成装置が省エネのために待機モードにある画像形成装置は、定着装置の温度は環境温度よりも高く保持されていることから、待機モードにある画像形成装置を起動したほうが、起動時間を短くすることができる。したがって、実施形態４の画像形成システムでは、環境温度と画像形成装置の動作モードを考慮して、環境温度が所定値以内（例えば、１０℃）である場合は、動作モードに基づき画像形成装置の起動順序を変更して決定する。例えば、待機モードにある画像形成装置の場合、環境温度に対して補正値として＋１０℃を与えることで、起動順序を変更する。
【００３３】
図９は、実施形態４の画像形成システムにおいて、サーバが管理する管理テーブルを示す図である。
実施形態４の画像形成システムにおいて、シャットダウン状態のＭＦＰ１，ＭＦＰ３，ＭＦＰ４、待機モードにあるＭＦＰ２は、次のようにして起動順位が決定され、起動される。ここで、ＭＦＰ１の温度環境は３５℃、ＭＦＰ２の温度環境は３０℃であるものとしている。このときのサーバが管理する管理テーブルは、図９に示すようなものである。
【００３４】
まず、クライアントＰＣはサーバに対し印刷要求を指令し、印刷ジョブＪ１を転送する。次に、サーバは、ＭＦＰの起動順序を決定するため、図９に示す管理テーブルを参照し、各ＭＦＰの環境温度及び動作モードに基づき最初に起動するＭＦＰを決定する。ここで、環境温度３０℃の場所に設置されているＭＦＰ２は待機モードにあるので、環境温度（３０℃）に＋１０℃の補正値が与えられ、補正後環境温度が４０℃となっている。したがって、サーバはＭＦＰ１〜ＭＦＰ４を比較し、補正後環境温度が最も高いＭＦＰ２を起動順位１のＭＦＰとして起動する指令を行い、定着装置のウオームアップを開始させる。ＭＦＰ２のウオームアップ開始からｔ２時間後にウオームアップが完了すると、ＭＦＰ２はその旨をサーバに通知し、その後ＭＦＰ２に印刷ジョブＪ１を転送して、印刷が実行される。
【００３５】
ＭＦＰ２からサーバに対し、ＭＦＰ２のウオームアップが完了したことが通知されると、サーバはＭＦＰ２に印刷ジョブＪ１を転送し印刷を実行させる。また、サーバはＭＦＰ２のウオームアップ期間中に印刷ジョブＪ２が発生したことに基づき、管理テーブルを参照して起動順位２のＭＦＰ１を起動する指令を行い、ウオームアップを開始する。ウオームアップ期間ｔ１後にウオームアップが完了すると、ＭＦＰ１はサーバに対し、ウオームアップが完了したことを通知する。その後、サーバはＭＦＰ１に印刷ジョブＪ２を転送し、印刷を実行させる。
【００３６】
（実施形態５）
図７は、実施形態５の画像形成システムの起動制御を示すタイムチャートである。
画像形成装置が起動した後、印刷ジョブの印刷実行中は定着装置のヒータに通電している期間が多く消費電力が多いので、印刷ジョブの印刷実行と同時に他の画像形成装置の起動を行なうと、同時に使用される電力の総量が大となる。したがって、画像形成装置の起動と印刷ジョブの印刷実行をずらして、同時に使用される電力の総量を低減することが望ましい。
【００３７】
実施形態５の画像形成システムには、サーバにクライアントＰＣと２台の画像形成装置としてシャットダウンされているＭＦＰ１，ＭＦＰ２が接続されている例である。ＭＦＰ１，ＭＦＰ２の起動は次のように行なわれる。
まず、クライアントＰＣはサーバに対し印刷要求を指令し、印刷ジョブＪ１を転送する。次に、サーバは各ＭＦＰの環境温度に基づき、温度環境（３５℃）が高いＭＦＰ１を起動する指令を行い、定着装置のウオームアップを開始させる。ウオームアップ開始からｔ１時間後にウオームアップが完了すると、ＭＦＰ１は直ちにサーバから転送された印刷ジョブＪ１の印刷を実行し、印刷ジョブＪ１の印刷実行が完了すると、その旨をサーバに通知する。
【００３８】
印刷ジョブＪ１の印刷実行が完了したことがサーバに通知されると、ＭＦＰ１のウオームアップ期間中に印刷ジョブＪ２が発生したことに基づき、サーバは温度環境が３０℃のＭＦＰ２を起動する指令を行い、定着装置のウオームアップを開始させる。ウオームアップ開始からウオームアップｔ２の後ウオームアップが完了すると、ＭＦＰ２はその旨をサーバに通知し、印刷ジョブＪ２を実行する。
【図面の簡単な説明】
【００３９】
【図１】本発明の実施形態１の画像形成システムを示す概略ブロック図である。
【図２】複合機の主要部を示すブロック図である。
【図３】実施形態１の画像形成システムの起動制御を示すタイムチャートである。
【図４】実施形態２の画像形成システムの起動制御を示すタイムチャートである。
【図５】実施形態３の画像形成システムの起動制御を示すタイムチャートである。
【図６】実施形態４の画像形成システムの起動制御を示すタイムチャートである。
【図７】実施形態５の画像形成システムの起動制御を示すタイムチャートである。
【図８】実施形態１〜３の画像形成システムにおいて、サーバが管理する管理テーブル及び管理テーブルの内容が変更される様子を示す図である。
【図９】実施形態４の画像形成システムにおいて、サーバが管理する管理テーブルを示す図である。
【符号の説明】
【００４０】
１…サーバ、２…クライアントＰＣ、３…複合機（ＭＦＰ）、３ａ…環境温度検出手段、３ｂ…情報通信手段、３ｃ…印字部、３ｄ…印字部制御手段、３ｅ…制御部電源、４…ネットワーク。
【図１】
2007180906.tif 000003
【図２】
2007180906.tif 000004
【図３】
2007180906.tif 000005
【図４】
2007180906.tif 000006
【図５】
2007180906.tif 000007
【図６】
2007180906.tif 000008
【図７】
2007180906.tif 000009
【図８】
2007180906.tif 000010
【図９】
2007180906.tif 000011